(57)【要約】  本発明は、データ線（１２２）と、走査線（１２３）と、画素電極（１２４）と、薄膜電界効果トランジスタ（１２５）と、共通線（１２６）と、配向膜（１２７）とを含み、共通線（１２６）は格子状パターンの金属線であるアレイ基板（１２）及び液晶表示パネル（１０）を提供する。本発明は、格子状パターンの共通線（１２６）を設けることにより、配向膜（１２７）がアレイ基板のエッジで堆積する現象が発生しにくい。
2017521721.tif 000002
【特許請求の範囲】
【請求項１】
対応する液晶表示パネルに設けられるアレイ基板であって、
データ信号を伝送するためのデータ線と、
走査信号を伝送するための走査線と、
前記データ信号を受信するための画素電極と、
前記走査信号に基いて、前記データ信号を前記画素電極に送信するための薄膜電界効果トランジスタと、
格子状パターンの金属線であり、共通信号を伝送するための共通線と、
前記アレイ基板の表面に設けられ、液晶分子にプレチルト角を形成させるための配向膜とを含み、
前記データ線、前記走査線、前記画素電極、及び前記薄膜電界効果トランジスタは、前記アレイ基板の中間の表示領域に設けられ、前記共通線は、前記アレイ基板のエッジにおける非表示領域に設けられ、前記配向膜は、前記アレイ基板の前記表示領域及び前記非表示領域に設けられ、
前記共通線の材料が金属アルミニウムであり、前記共通線の厚さが８０nm〜１２０nmであるアレイ基板。
【請求項２】
前記共通線の幅が４００μm〜６００μmである請求項１に記載のアレイ基板。
【請求項３】
前記共通線の格子の幅が４μm〜１０μmである請求項１に記載のアレイ基板。
【請求項４】
前記配向膜の厚さが１００nm〜２００nmである請求項１に記載のアレイ基板。
【請求項５】
前記アレイ基板の前記非表示領域における前記配向膜の厚さが１５０nm〜２００nmである請求項４に記載のアレイ基板。
【請求項６】
前記アレイ基板の前記表示領域における前記配向膜の厚さが１００nm〜１５０nmである請求項４に記載のアレイ基板。
【請求項７】
対応する液晶表示パネルに設けられるアレイ基板であって、
データ信号を伝送するためのデータ線と、
走査信号を伝送するための走査線と、
前記データ信号を受信するための画素電極と、
前記走査信号に基づいて、前記データ信号を前記画素電極に送信するための薄膜電界効果トランジスタと、
格子状パターンの金属線であり、共通信号を伝送するための共通線と、
前記アレイ基板の表面に設けられ、液晶分子にプレチルト角を形成させるための配向膜とを含み、
前記データ線、前記走査線、前記画素電極、及び前記薄膜電界効果トランジスタは、前記アレイ基板の中間の表示領域に設けられ、前記共通線は、前記アレイ基板のエッジにおける非表示領域に設けられ、前記配向膜は前記アレイ基板の前記表示領域及び前記非表示領域に設けられるアレイ基板。
【請求項８】
前記共通線の幅が４００μm〜６００μmである請求項７に記載のアレイ基板。
【請求項９】
前記共通線の格子の幅が４μm〜１０μmである請求項７に記載のアレイ基板。
【請求項１０】
前記共通線の材料が金属アルミニウムである請求項７に記載のアレイ基板。
【請求項１１】
前記共通線の厚さが８０nm〜１２０nmである請求項７に記載のアレイ基板。
【請求項１２】
前記配向膜の厚さが１００nm〜２００nmである請求項７に記載のアレイ基板。
【請求項１３】
前記アレイ基板の前記非表示領域における前記配向膜の厚さが１５０nm〜２００nmである請求項１２に記載のアレイ基板。
【請求項１４】
前記アレイ基板の前記表示領域における前記配向膜の厚さが１００nm〜１５０nmである請求項１２に記載のアレイ基板。
【請求項１５】
アレイ基板、カラーフィルム基板、及び前記アレイ基板とカラーフィルム基板との間に設けられる液晶層を含む液晶表示パネルであって、
前記アレイ基板は、
データ信号を伝送するためのデータ線と、
走査信号を伝送するための走査線と、
前記データ信号を受信するための画素電極と、
前記走査信号に基づいて、前記データ信号を前記画素電極に送信するための薄膜電界効果トランジスタと、
格子状パターンの金属線であり、共通信号を伝送するための共通線と、
前記アレイ基板の表面に設けられ、液晶分子にプレチルト角を形成させるための配向膜とを含み、
前記データ線、前記走査線、前記画素電極、及び前記薄膜電界効果トランジスタは、前記アレイ基板の中間の表示領域に設けられ、前記共通線は、前記アレイ基板のエッジにおける非表示領域に設けられ、前記配向膜は、前記アレイ基板の前記表示領域及び前記非表示領域に設けられる液晶表示パネル。
【請求項１６】
前記共通線の幅が４００μm〜６００μmである請求項１５に記載の液晶表示パネル。
【請求項１７】
前記共通線の格子の幅が４μm〜１０μmである請求項１５に記載の液晶表示パネル。
【請求項１８】
前記共通線の材料が金属アルミニウムである請求項１５に記載の液晶表示パネル。
【請求項１９】
前記共通線の厚さが８０nm〜１２０nmである請求項１５に記載の液晶表示パネル。
【請求項２０】
前記配向膜の厚さが１００nm〜２００nmである請求項１５に記載の液晶表示パネル。
【発明の詳細な説明】
【技術分野】
【０００１】
本発明は、液晶の技術分野に関し、特にアレイ基板及び液晶表示パネルに関する。
【背景技術】
【０００２】
液晶表示技術の発展に伴い、液晶表示装置を利用して社交や娯楽活動に参加する人が増えてきた。
【０００３】
従来の液晶表示装置における液晶表示パネルは、いずれもアレイ基板（TFT基板）及びカラーフィルム基板（CF基板）を含む。アレイ基板とカラーフィルム基板との間に液晶層が設けられている。アレイ基板及びカラーフィルム基板の内側にPI（Polyimide、ポリイミド）配向膜を塗布することにより、液晶層における液晶分子にプレチルト角を形成させ、液晶表示の応答速度を速くする。
【０００４】
アレイ基板にPI配向膜を塗布すると、PI配向膜の材料は、アレイ基板の四周縁へ拡散する。アレイ基板のエッジ構造（外部配線領域）と内部表示領域の構造との差異により、PI配向膜の材料がアレイ基板のエッジ領域に堆積するため、隣接する表示領域におけるPI配向膜の厚さが厚くなりすぎる場合がある。当該液晶表示装置が表示をする際に、液晶表示パネルのエッジ部分（又はアレイ基板のエッジ部分）では光漏れ現象が発生しやすく、液晶表示装置の表示品質に影響を与える。
【０００５】
そのため、従来技術に存在する問題を解決することができるアレイ基板及び液晶表示パネルを提供する必要がある。
【発明の概要】
【発明が解決しようとする課題】
【０００６】
本発明は、従来の液晶表示パネルのアレイ基板のエッジ領域に配向膜が堆積しやすいため、液晶表示パネルのエッジ部分で光漏れ現象が発生しやすいという技術的問題を解決するアレイ基板及び液晶表示パネルを提供することを目的とする。
【課題を解決するための手段】
【０００７】
前記の問題を解決するために、本発明の技術案は以下の通りである。
本発明の実施例は、対応する液晶表示パネルに設けられるアレイ基板であって、
データ信号を伝送するためのデータ線と、
走査信号を伝送するための走査線と、
前記データ信号を受信するための画素電極と、
前記走査信号に基づいて、前記データ信号を前記画素電極に送信するための薄膜電界効果トランジスタと、
格子状パターンの金属線であり、共通信号を伝送するための共通線と、
前記アレイ基板の表面に設けられ、液晶分子にプレチルト角を形成させるための配向膜とを含み、
前記データ線、前記走査線、前記画素電極、及び前記薄膜電界効果トランジスタは、前記アレイ基板の中間の表示領域に設けられ、前記共通線は、前記アレイ基板のエッジにおける非表示領域に設けられ、前記配向膜は、前記アレイ基板の前記表示領域及び前記非表示領域に設けられ、
前記共通線の材料は金属アルミニウムであり、前記共通線の厚さは８０nm〜１２０nmであるアレイ基板を提供する。
【０００８】
本発明の前記アレイ基板において、前記共通線の幅は４００μm〜６００μmである。
【０００９】
本発明の前記アレイ基板において、前記共通線の格子の幅は４μm〜１０μmである。
【００１０】
本発明の前記アレイ基板において、前記配向膜の厚さは１００nm〜２００nmである。
【００１１】
本発明の前記アレイ基板において、前記アレイ基板の前記非表示領域における前記配向膜の厚さは１５０nm〜２００nmである。
【００１２】
本発明の前記アレイ基板において、前記アレイ基板の前記表示領域における前記配向膜の厚さは１００nm〜１５０nmである。
【００１３】
本発明の実施例は、対応する液晶表示パネルに設けられるアレイ基板であって、
データ信号を伝送するためのデータ線と、
走査信号を伝送するための走査線と、
前記データ信号を受信するための画素電極と、
前記走査信号に基づいて、前記データ信号を前記画素電極に送信するための薄膜電界効果トランジスタと、
格子状パターンの金属線であり、共通信号を伝送するための共通線と、
前記アレイ基板の表面に設けられ、液晶分子にプレチルト角を形成させるための配向膜とを含み、
前記データ線、前記走査線、前記画素電極、及び前記薄膜電界効果トランジスタは、前記アレイ基板の中間の表示領域に設けられ、前記共通線は、前記アレイ基板のエッジにおける非表示領域に設けられ、前記配向膜は、前記アレイ基板の前記表示領域及び前記非表示領域に設けられるアレイ基板を提供する。
【００１４】
本発明の前記アレイ基板において、前記共通線の幅は４００μm〜６００μmである。
【００１５】
本発明の前記アレイ基板において、前記共通線の格子の幅は４μm〜１０μmである。
【００１６】
本発明の前記アレイ基板において、前記共通線の材料は金属アルミニウムである。
【００１７】
本発明の前記アレイ基板において、前記共通線の厚さは８０nm〜１２０nmである。
【００１８】
本発明の前記アレイ基板において、前記配向膜の厚さは１００nm〜２００nmである。
【００１９】
本発明の前記アレイ基板において、前記アレイ基板の前記非表示領域における前記配向膜の厚さは１５０nm〜２００nmである。
【００２０】
本発明の前記アレイ基板において、前記アレイ基板の前記表示領域における前記配向膜の厚さは１００nm〜１５０nmである。
【００２１】
本発明の実施例は、さらに、アレイ基板、カラーフィルム基板、及び前記アレイ基板とカラーフィルム基板との間に設けられる液晶層を含む液晶表示パネルであって、
前記アレイ基板は、
データ信号を伝送するためのデータ線と、
走査信号を伝送するための走査線と、
前記データ信号を受信するための画素電極と、
前記走査信号に基づいて、前記データ信号を前記画素電極に送信するための薄膜電界効果トランジスタと、
格子状パターンの金属線であり、共通信号を伝送するための共通線と、
前記アレイ基板の表面に設けられ、液晶分子にプレチルト角を形成させるための配向膜とを含み、
前記データ線、前記走査線、前記画素電極、及び前記薄膜電界効果トランジスタは、前記アレイ基板の中間の表示領域に設けられ、前記共通線は、前記アレイ基板のエッジにおける非表示領域に設けられ、前記配向膜は、前記アレイ基板の前記表示領域及び前記非表示領域に設けられる。
【００２２】
本発明の前記液晶表示パネルにおいて、前記共通線の幅は４００μm〜６００μmである。
【００２３】
本発明の前記液晶表示パネルにおいて、前記共通線の格子の幅は４μm〜１０μmである。
【００２４】
本発明の前記液晶表示パネルにおいて、前記共通線の材料は金属アルミニウムである。
【００２５】
本発明の前記液晶表示パネルにおいて、前記共通線の厚さは８０nm〜１２０nmである。
【００２６】
本発明の前記液晶表示パネルにおいて、前記配向膜の厚さは１００nm〜２００nmである。
【００２７】
従来のアレイ基板及び液晶表示パネルと比較して、本発明のアレイ基板及び液晶表示パネルは、格子状パターンの共通線を設けることにより、配向膜がアレイ基板のエッジ領域に堆積する現象が発生しにくくなり、従来の液晶表示パネルのアレイ基板のエッジ領域における配向膜は堆積現象が発生しやすく、液晶表示パネルのエッジ部分で光漏れが発生しやすいという技術的問題が解決される。
【００２８】
本発明の上記内容を分かりやすくするため、以下、好適な実施例により、図面を参照しながら、詳細に説明する。
【図面の簡単な説明】
【００２９】
【図１】図１は従来のアレイ基板の構造模式図である。
【図２】図２は従来技術のアレイ基板を含む液晶表示パネルの、図１のA-A’断面線に沿う断面図である。
【図３】図３は本発明のアレイ基板の好適な実施例の構造模式図である。
【発明を実施するための形態】
【００３０】
以下の各実施例の説明は図面を参照して、本発明の実施可能な特定な実施例を例示するものである。本発明に記載される方向用語、例えば「上」、「下」、「前」、「後」、「左」、「右」、「内」、「外」、「側面」等は、図面における方向を意味するに過ぎない。従って、用いられる方向用語は、本発明を説明及び理解するためのものであり、本発明を制限しない。
【００３１】
図面において、構造が類似する部材については同じ符号を付与する。
【００３２】
図１及び図２を参照すると、図１は従来のアレイ基板の構造模式図であり、図２は従来技術のアレイ基板を含む液晶表示パネルの図１のA-A’断面線に沿う断面図である。なお、説明の便宜のために、図面における一部の部材のサイズを調整し、一部の従来技術の改良されていない部材は示さない。
【００３３】
当該液晶表示パネル１０は、カラーフィルム基板１１、アレイ基板１２、アレイ基板１２とカラーフィルム基板１１との間に設けられる液晶層１３を含む。当該アレイ基板１２は、アレイ基板ベース１２１、データ線１２２、走査線１２３、画素電極１２４、薄膜電界効果トランジスタ１２５、共通線１２６、及びアレイ基板側配向膜１２７を含む。当該カラーフィルム基板１１は、カラーフィルム基板ベース１１１、各色のカラーレジスト１１２、及びカラーフィルム側配向膜１１３を含む。液晶層１３はフレーム接着剤１４によりアレイ基板１２とカラーフィルム基板１１との間の収容空間に密閉される。ここで、データ線１２２はデータ信号を伝送し、走査線１２３は走査信号を伝送し、画素電極１２４はデータ信号を受信し、薄膜電界効果トランジスタ１２５は走査信号に基づいて、データ信号を画素電極１２４に送信し、共通線１２６はソリッド金属線又はソリッド薄膜導線であり、共通信号を伝送し、アレイ基板側配向膜１２７はアレイ基板の表面に設けられ、液晶層１３における液晶分子にプレチルト角を形成させる。
【００３４】
データ線１２２、走査線１２３、画素電極１２４、及び薄膜電界効果トランジスタ１２５は、アレイ基板１２の中間の表示領域に設けられ、共通線１２６は、アレイ基板１２のエッジにおける非表示領域に設けられ、アレイ基板側配向膜１２７はアレイ基板１２の表示領域及び非表示領域に（即ち、アレイ基板側配向膜１２７はアレイ基板１２の全体に）設けられる。
【００３５】
図１及び図２に示すように、従来技術に係るアレイ基板１２の作製において、まず、アレイ基板１２のアレイ基板ベース１２１上にデータ線１２２、走査線１２３、薄膜電界効果トランジスタ１２５、画素電極１２４、及び共通線１２６を作製した後、アレイ基板１２全体の表面にアレイ基板側配向膜１２７（即ち、PI配向膜）を塗布し、アレイ基板１２のエッジ領域に共通線１２６（ソリッド金属線）を設けることにより、アレイ基板側配向膜１２７のここでの拡散が共通線１２６により阻止され、アレイ基板１２のエッジ領域におけるアレイ基板側配向膜１２７が厚くなりすぎ、さらに、隣接する表示領域におけるアレイ基板側配向膜１２７も厚くなりすぎるため（約２００nm〜３００nm）、液晶表示パネル１０のエッジ部分で光漏れ現象が発生しやすく、液晶表示装置の表示品質に影響を与える。
【００３６】
図３は、本発明のアレイ基板の好適な実施例の構造模式図である。本好適な実施例に係るアレイ基板３２は、アレイ基板ベース（図示せず）、データ線３２１、走査線３２２、画素電極３２３、薄膜電界効果トランジスタ３２４、共通線３２５、及び配向膜（図示せず）を含む。データ線３２１はデータ信号を伝送し、走査線３２２は走査信号を伝送し、画素電極３２３はデータ信号を受信し、薄膜電界効果トランジスタ３２４は走査信号に基づいて、データ信号を画素電極３２３に送信し、共通線３２５は格子状パターンの金属線であり、共通信号を伝送し、配向膜はアレイ基板３２の表面に設けられ、液晶分子にプレチルト角を形成させる。
【００３７】
ここで、データ線３２１、走査線３２２、画素電極３２３、薄膜電界効果トランジスタ３２４は、アレイ基板３２の中間の表示領域に設けられ、共通線３２５は、アレイ基板３２のエッジにおける非表示領域に設けられ、配向膜は、アレイ基板３２の表示領域及び非表示領域に設けられる。
【００３８】
図３に示すように、本好適な実施例に係るアレイ基板３２の作製において、まず、アレイ基板３２のアレイ基板ベース上にデータ線３２１、走査線３２２、薄膜電界効果トランジスタ３２４、画素電極３２３、及び共通線３２５を作製した後、アレイ基板３２全体の表面に配向膜（即ち、PI配向膜）を塗布する。配向膜がアレイ基板３２の、共通線３２５が設けられる領域に拡散する時に、共通線３２５が格子状パターンの金属線であり、配向膜が共通線３２５で容易に拡散しやすいため、アレイ基板３２のエッジ領域（非表示領域）における配向膜が厚くなりすぎることがなく、隣接する表示領域の配向膜の厚さとアレイ基板３２の中間の表示領域の配向膜の厚さとの差異が小さくなり、液晶表示パネルのエッジ部分での光漏れ現象の発生が回避され、液晶表示装置の表示品質が向上する。
【００３９】
好ましくは、本好適な実施例に係るアレイ基板３２の共通線３２５は、材料が金属アルミニウムであり、共通線３２５の幅が４００μm〜６００μm、共通線３２５の格子の幅が４μm〜１０μm（常用の配向膜材料の粒子はいずれも当該格子のサイズより小さい）、共通線３２５の厚さが８０nm〜１２０nmである。このように、アレイ基板３２のエッジの非表示領域（共通線３２５の設置領域）における配向膜の厚さは１５０nm〜２００nm、アレイ基板３２の中央の表示領域における配向膜の厚さは１００nm〜１５０nm（従来のアレイ基板の非表示領域における配向膜の厚さは２００nm〜３００nm）であることにより、アレイ基板３２のエッジ表示領域における配向膜とアレイ基板３２の中央表示領域における配向膜との厚さの差異が比較的小さく、液晶表示パネルのエッジ部分での光漏れ現象の発生が良好に回避され、液晶表示装置の表示品質が向上する。
【００４０】
本発明は、さらに、液晶表示パネルを提供する。当該液晶表示パネルは、アレイ基板、カラーフィルム基板、及びアレイ基板とカラーフィルム基板との間に設けられる液晶層を含む。当該アレイ基板は、データ線、走査線、画素電極、薄膜電界効果トランジスタ、共通線、及び配向膜を含む。データ線はデータ信号を伝送し、走査線は走査信号を伝送し、画素電極はデータ信号を受信し、薄膜電界効果トランジスタは走査信号に基づいて、データ信号を画素電極に送信し、共通線は格子状パターンの金属線であり、共通信号を伝送し、配向膜はアレイ基板の表面に設けられ、液晶分子にプレチルト角を形成させる。
【００４１】
ここで、データ線、走査線、画素電極、及び薄膜電界効果トランジスタは、アレイ基板の中間の表示領域に設けられ、共通線は、アレイ基板のエッジにおける非表示領域に設けられ、配向膜は、アレイ基板の表示領域及び非表示領域に設けられる。
【００４２】
本発明の液晶表示パネルの具体的な動作原理は、前記アレイ基板の好適な実施例と同様又は類似であるため、前記アレイ基板の好適な実施例における説明を参照されたい。
【００４３】
本発明のアレイ基板及び液晶表示パネルは、格子状パターンの共通線を設けることにより、配向膜がアレイ基板のエッジ領域に堆積しにくく、従来の液晶表示パネルのアレイ基板のエッジ領域に配向膜が堆積しやすいことにより、液晶表示パネルのエッジ部分で光漏れ現象が発生しやすいという技術的問題を解決する。
【００４４】
以上、本発明の好適な実施例について説明したが、本発明はそれに限定されず、本発明の精神と範囲を逸脱しない限り、当業者であれば、様々な変更や修正を加えることができるため、本発明の保護範囲は、特許請求の範囲に基づくものである。
【図１】
2017521721.tif 000003
【図２】
2017521721.tif 000004
【図３】
2017521721.tif 000005
【国際調査報告】
2017521721.tif 000006
2017521721.tif 000007
2017521721.tif 000008
2017521721.tif 000009
2017521721.tif 000010
2017521721.tif 000011